(57)【要約】      （修正有）【課題】ユーザはいかなる道具も使わずに、簡単な操作でスピーカをテレビジョンから離すことができ、且つ共振の発生を生ずることのない平面テレビジョンの分離式耐震スピーカの固定構造を提供する。【解決手段】特定の弾性的材料からなるスピーカの中フレームと、該中フレームの内表面に設けられた弾性的肋部によって、スピーカの前フレームと後フレームを同時に左右側に仕切られると共に当接されることにより、スピーカの震動を効果的に吸収される目的を達成し、且つ、中フレームの底部に位置決め孔を設けられ、テレビジョンの台座の左右表面にそれぞれ設けられた突起された弾性的位置決め構造と互いにマッチングすることにより、簡単な弾性的押さえ操作によって、テレビジョンとスピーカを容易に組み立てることができる。【選択図】図５
0003127288.tif 000002
【実用新案登録請求の範囲】
【請求項１】
スピーカ本体と、テレビジョン台座とを備える平面テレビジョンの分離式耐震スピーカの固定構造において、前記スピーカ本体は、前フレームと、中フレームと、後フレームとを有し、前記前フレームの内表面に対応して少なくとも一つのスピーカドライバが組み立てられ、前記中フレームは、弾性材料から構成されており、且つ前フレームと後フレームとの間に挟まれ、該中フレームの底部に位置決め孔を設けられ、且つ該中フレームの内表面に弾性肋部を設けられることにより、前記前フレームと後フレームを中フレームの左右側に仕切られ、且つ該中フレームは前フレーム及び後フレームに当接することに用いられ、前記テレビジョン台座の表面に凹み溝を設けられ、該凹み溝のトップにバッフル部を有し、且つ、前記凹み溝の内に突起された弾性的位置決め構造を設けられ、該突起された弾性的位置決め構造は、弾性部件及び位置決めピンを備え、該弾性部件は前記凹み溝の内に設けられ、且つ弾性的に凹み溝の底部に当接されており、前記位置決めピンの底部は弾性的に前記弾性部件に当接されており、且つ前記バッフル部によって防ぎ止めることにより、前記位置決め孔と互いにマッチングすることに用いられ、前記スピーカ本体を取り付けることを特徴とする平面テレビジョンの分離式耐震スピーカの固定構造。
【請求項２】
前記弾性材料は、シリコンゴム、天然ゴム、合成の天然ゴム、スチレンゴム、ブタジエンゴム、クロロプレンゴム、ブチルゴム、ニトリルゴム、エチレンゴム、アクリルゴムから構成された群から選択された少なくとも一つの材料であることを特徴とする請求項１記載の平面テレビジョンの分離式耐震スピーカの固定構造。
【請求項３】
前記中フレームは一体的に構成されることを特徴とする請求項１記載の平面テレビジョンの分離式耐震スピーカの固定構造。
【請求項４】
前記弾性肋部の数量は複数であることを特徴とする請求項１記載の平面テレビジョンの分離式耐震スピーカの固定構造。
【請求項５】
前記位置決め孔は半円形であることを特徴とする請求項１記載の平面テレビジョンの分離式耐震スピーカの固定構造。
【請求項６】
前記位置決め孔の数量は複数であることを特徴とする請求項１又は請求項５記載の平面テレビジョンの分離式耐震スピーカの固定構造。
【請求項７】
前記弾性部件はスプリングであることを特徴とする請求項１記載の平面テレビジョンの分離式耐震スピーカの固定構造。
【請求項８】
前記位置決めピンのトップは半円的中央の突出形であることを特徴とする請求項１記載の平面テレビジョンの分離式耐震スピーカの固定構造。
【請求項９】
前記位置決めピンの数量は複数であることを特徴とする請求項１記載の平面テレビジョンの分離式耐震スピーカの固定構造。
【考案の詳細な説明】
【技術分野】
【０００１】
本考案は、分離式耐震スピーカ固定構造に関するもので、特に平面テレビジョンの分離式耐震スピーカ固定構造において、特に液晶テレビジョンに適用するものである。
【背景技術】
【０００２】
従来の平面テレビジョンにおいて、スピーカとテレビジョンの組み合わせ方式として、ほとんどねじにより固着される。ユーザはスピーカをテレビジョンから離そうとする場合、必ずねじを取り除かなければならない。そのため時間がかかるばかりでなく、面倒で、しかもテレビジョンの外観に傷をつけやすい問題があった。これは現在の市場で販売する平面テレビジョンの一つの欠点である。
【０００３】
同時に、従来のスピーカの大部分は木質或いはプラスチックの材質を使われるため、スピーカを直接にデスクトップ或いはほかの平面に置く場合、共振に伴って異音が発生し、音色が劣ることになる。そのため必ずほかの耐震、震動を吸収する装置或いは台座を介して、スピーカを支え、上述の現象を免れなければならない。これは現在の市場で販売する平面テレビジョンのもう一つの欠点である。
【０００４】
また従来の耐震対策として、図１に示すように、支持体６０とスピーカ固定端７０との接続部分にゴム緩衝パッド８０を加えることにより、共振の発生を免れる。しかし、その方法は、一つ一つ作業しなければならないことにより、労働時間、加工のコストを増すため、課題を解決するための手段でない。
【考案の開示】
【考案が解決しようとする課題】
【０００５】
本考案の目的は、前記課題を解決し、簡単な操作でスピーカをテレビジョンから離すことができ、且つ共振の発生を免れることができる平面テレビジョンの分離式耐震スピーカの固定構造を提供することである。
【課題を解決するための手段】
【０００６】
前記目的を達成するため、本考案に係る平面テレビジョンの分離式耐震スピーカの固定構造は、スピーカ本体と、テレビジョン台座とを備える。前記スピーカ本体は、前フレームと、中フレームと、後フレームとを有し、前記前フレームの内表面に対応して少なくとも一つのスピーカ単体が組み立てられ、前記中フレームは、特定の弾性材料から構成されており、且つ前フレームと後フレームとの間に挟まれ、該中フレームの底部に位置決め孔を設けられ、且つ該中フレームの内表面に弾性肋部を設けられることにより、前記前フレームと後フレームを該中フレームの左右側に仕切られ、且つ該中フレームを前フレーム及び後フレームに当接することに用いられる。前記テレビジョン台座の表面に凹み溝を設けられ、該凹み溝のトップにバッフル部を有し、且つ、前記凹み溝の内に突起された弾性的位置決め構造を設けられ、該突起された弾性的位置決め構造は、弾性部件及び位置決めピンを備え、該弾性部件は前記凹み溝の内に設けられ、且つ弾性的に凹み溝の底部に当接されており、前記位置決めピンのトップは、特定の円弧の形で、前記位置決めピンの底部は弾性的に前記弾性部件に当接されており、且つ前記バッフル部によって防ぎ止めることにより、前記位置決め孔と互いにマッチングすることに用いられ、前記スピーカ本体を取り付ける。
【考案の効果】
【０００７】
本考案の平面テレビジョンの分離式耐震スピーカの固定構造は、テレビジョンの台座の表面に突設された弾性的位置決め構造をスピーカ本体の中フレームの底部に設けられた位置決め孔に弾性的に挿入することにより、テレビジョンとスピーカを容易に組み立てたり、同時にテレビジョンからスピーカを容易に離したりすることができる。
【０００８】
本考案の平面テレビジョンの分離式耐震スピーカの固定構造は、特定の弾性材料を使って、中フレームが一体的に構成されており、前記特定の弾性材料は、柔らかい材質で、且つ力を受けても回復することができる特性があったため、簡単な操作でスピーカをテレビジョンに弾性的に挿入することができ、しかも優れた耐震効果を提供することができ、且つテレビジョン及びスピーカ本体の外観の表面に傷つけないので、他の台座を加えなくても良い。
【０００９】
本考案の平面テレビジョンの分離式耐震スピーカの固定構造は、中フレームの内表面に弾性肋部を設けることにより、前フレームと後フレームが中フレームの左右に仕切られ、且つ中フレームを前フレーム及び後フレームに当接することにより、共振の発生が効果的に免れることができ、他のゴム緩衝パッドを使わなくても、優れた耐震効果を提供することができ、且つ立体的に廻る音声効果を得ることができる。
【考案を実施するための最良の形態】
【００１０】
以下、図面を参照して本考案の実施形態を説明する。
【００１１】
図２は、本考案の分離式耐震スピーカ本体の分解立体図である。同図において、スピーカ本体２０は、前フレーム２１と、中フレーム２２と、後フレーム２３とを備える。前記前フレーム２１の内表面に対応して少なくとも一つのスピーカ単体２４が組み立てられ、前記中フレーム２２は前フレーム２１と後フレーム２３との間に位置されており、且つ、該中フレーム２２の内表面に複数の弾性肋部２５が設けられ、前記前フレーム２１と後フレーム２３との間に挟まれる。
【００１２】
図３は、中フレーム２２の構成を示す図である。中フレーム２２は、特定の弾性材料から構成されており、該中フレーム２２の内表面に突設された弾性肋部２５が設けられ、前記前フレーム２１と後フレーム２３との間に挟まれ、前記前フレーム２１及び後フレーム２３を中フレーム２２の左右に仕切り、且つ中フレーム２２を前フレーム２１及び後フレーム２３に当接することに用いて、スピーカの震動を下げたり吸収したりして、共振によって異音が発生する現象を免れることができ、音色を良くする。しかも、中フレーム２２の全体は弾性材料から構成されるため、いかなる平面に置いても、外在的或は内在的な震動があっても、弾性的フレームによって吸収されるので、優れたスピーカの耐震効果を提供することができる。
【００１３】
中フレーム２２の内表面に設けられた弾性肋部２５と中フレーム２２は一体的に構成されることができ、且つ、実際の設計の需要によって、複数の弾性肋部２５が設けられても良い。しかし、本考案は上記実施例に限られるものでない。本実施例において、六つの弾性肋部２５が設けられ、スピーカ本体２０の前フレーム２１と後フレーム２３をしっかり結び付けて、優れた耐震効果を提供することに用いられる。
【００１４】
注意すべきは、本実施例の中フレーム２２を構成する特定の弾性材料として、シリコンゴムが使われることである。該シリコンゴムは、柔らかい質で、且つ力を受けても回復することができる特性があるので、簡単な操作でスピーカをテレビジョンに弾性的に挿入することができ、液晶テレビジョン本体１０及びスピーカ本体２０の外観の表面を傷つけずに、且つスピーカ本体２０に耐震効果を提供することができる。
【００１５】
しかし、前記特定の弾性材料は上記実施例に限られるものでなく、実際の設計の需要によって、他の材料を使うことができる。例えば、天然ゴム、合成の天然ゴム、スチレンゴム、ブタジエンゴム、クロロプレンゴム、ブチルゴム、ニトリルゴム、エチレンゴム、アクリルゴムなどの柔らかい質のゴム材料である。
【００１６】
図５は、スピーカ本体２０の位置決め孔２６とテレビジョン台座３０の突起された弾性的位置決め構造４０の部分断面図である。
【００１７】
該断面図において、スピーカ本体２０を示す中フレーム２２の底部に半円形の位置決め孔２６（図３を同時に参照のこと）を設けられ、テレビジョン台座３０の突設された弾性的位置決め構造４０を取付けることに用いられる。本実施例において、スピーカ本体２０の中フレーム２２の底部に設けられた位置決め孔２６の数量は二つであるが、これに限られるものでなく、実際の設計の要請によって、位置決め孔２６の数量は一つでも複数でも良い。
【００１８】
図４は、液晶テレビジョンと台座の構成を示す立体図である。テレビジョン台座３０の左右表面にそれぞれ突起された弾性的位置決め構造４０を設けられ、スピーカ本体２０の底部の位置決め孔２６に取り付けることに用いられる。
【００１９】
更に図５を参照する。突設された弾性的位置決め構造４０はテレビジョン台座３０の表面凹み溝３１及び其のトップのバッフル部３２の内に位置する。前記突設された弾性的位置決め構造４０は、弾性部件４２及び位置決めピン４１を備え、前記弾性部件４２は凹み溝３１の底部に当接し、前記位置決めピン４１の底部は弾性的に弾性部件４２に接続されており、且つ前記バッフル部３２によって防ぎ止めることにより、前記位置決め孔２６と互いにマッチングすることに用いられ、前記スピーカ本体２０を取り付けられる。しかし、前記位置決めピン４１の頂部は、特定の円弧の形で、該特定の円弧の形は、半円的中央の突出形であり、半円形の位置決め孔２６に打ち込み易くしたが、これに限られるものでない。また、前記弾性部件４２はスプリングでもいいが、本考案はこれに限られるものでない。
【００２０】
本実施例の突設された弾性的位置決め構造４０の数量は四つであるが、これに限らず、実際の設計の需要によって、該突起された弾性的位置決め構造４０の数量は一つでも複数でも良い。
【００２１】
図６は、本考案の分離式耐震スピーカ固定構造を使う状態を示す図である。中フレーム２２はシリコンゴムの柔らかい材質であって、且つ、テレビジョン台座の表面に突起した弾性的位置決め構造４０に、押さえても回復することができる弾性部件４２を設けるので、テレビジョン本体１０の側からスピーカ本体２０を容易に押し入れたり引き出したりすることができ、テレビジョン台座３０の外観の表面に傷つけない。
【００２２】
スピーカ本体２０をテレビジョンから離れて、デスクトップ或は他の位置に置こうとする場合、少し力を入れて、スピーカ本体２０を引き出せばよく、ユーザは、いかなる道具を使わなくても、取り除いたり取り付けたりすることができる。
【００２３】
図７は、スピーカを取り付けたり取り除いたりする場合、スピーカを独立に置く立体図である。ユーザは、スピーカをテレビジョンに取り付けたり、テレビジョンからスピーカを取り除いたりして、自由に選択することができ、スピーカをテレビジョンから離して、横にしたり縦にしたりする機能を得ることができ、優れた立体的な音声効果を得ることができる。
【００２４】
上述の通りに、本考案は、平面テレビジョンの分離式耐震スピーカ固定構造に関して、簡単な弾性的押さえ操作によって、テレビジョンとスピーカを容易に組み立てることができ、同時にテレビジョンからスピーカを離そうとする場合、ユーザはいかなる道具を使う必要なく、少しの力で、スピーカ本体を引き出せばよく、且つ他の台座を加えなくても、スピーカを自由にいかなる位置にも置くことができ、優れた横にしたり縦にしたりの機能を発揮することができ、共振によって異なる音が生ずる現象がなく、優れた立体的な廻られる音響効果を得ることができる。
【００２５】
上述したように、具体的な最良の実施例によって本考案を説明したが、これに限られるものでなく、本考案に属する技術の分野における通常の知識を有する者が本考案の精神と範囲を離れなければ、少しの変動や飾ったりすることが可能なため、本考案の保護範囲は、後の実用新案登録請求範囲に基づいて決まった範囲或いはそれと同等なものを判断の標準とする。
【図面の簡単な説明】
【００２６】
【図１】従来のゴム緩衝パッドとスピーカをねじにより固着される状態を示す断面図である。
【図２】本考案の分離式耐震スピーカ本体の分解立体図である。
【図３】本考案の中フレームの構成を示す図である。
【図４】本考案の液晶テレビジョンと台座の構成を示す立体図である。
【図５】本考案のスピーカ本体の位置決め孔とテレビジョン台座の突起された弾性的位置決め構造の部分断面図である。
【図６】本考案の分離式耐震スピーカ固定構造を使う状態を示す図である。
【図７】本考案のスピーカを取り付けたり取り除いたりする場合、スピーカを独立に置く立体図である。
【符号の説明】
【００２７】
１０  液晶テレビジョン本体
２０  スピーカ本体
２１  前フレーム
２２  中フレーム
２３  後フレーム
２４  スピーカドライバ
２５  弾性肋部
２６  位置決め孔
３０  テレビジョン台座
３１  凹み溝
３２  バッフル部
４０  突起された弾性的位置決め構造
４１  位置決めピン
４２  弾性部件
６０  支え物
７０  スピーカ固定端
８０  ゴム緩衝パッド
【図１】
0003127288.tif 000003
【図２】
0003127288.tif 000004
【図３】
0003127288.tif 000005
【図４】
0003127288.tif 000006
【図５】
0003127288.tif 000007
【図６】
0003127288.tif 000008
【図７】
0003127288.tif 000009